(57)【要約】【課題】  互いに隣接する複数のスピーカが取り付けられる箇所の機器本体の強度を確保して、音響効果を十分に確保することができるスピーカの取付構造を提供する。【解決手段】  複数のスピーカ８ａ〜８ｃが取り付けられる箇所の機器本体１の上部ケース２を補強するための補強板１４を備え、この補強板１４に、複数のスピーカ８ａ〜８ｃがそれぞれ挿入する複数のスピーカ挿入孔１６ａ〜１６ｃと、この複数のスピーカ挿入孔１６ａ〜１６ｃの間に位置して補強板１４を補強するための補強部１８とを、設けた。従って、補強板１４に複数のスピーカ８ａ〜８ｃがそれぞれ挿入する複数のスピーカ挿入孔１６ａ〜１６ｃを設けても、補強板１４の強度を補強部１８によって確保でき、この補強板１４によって複数のスピーカ８ａ〜８ｃが取り付けられる箇所の上部ケース２の強度を十分に確保でき、複数のスピーカの発音時に上部ケース２の振動を確実に防ぐことができる。【選択図】        図６
2012217080.tif 000002
【特許請求の範囲】
【請求項１】
機器本体と、この機器本体に互いに隣接して取り付けられた複数のスピーカと、前記機器本体に取り付けられ、且つ前記複数のスピーカが取り付けられる箇所の前記機器本体を補強するための補強板とを備え、
前記補強板には、前記複数のスピーカがそれぞれ挿入する複数のスピーカ挿入孔が設けられていると共に、前記補強板には、少なくとも前記複数のスピーカ挿入孔の間に位置する箇所に、前記補強板を補強するための補強部が設けられていることを特徴とするスピーカの取付構造。
【請求項２】
請求項１に記載のスピーカの取付構造において、前記補強部は、前記補強板の表裏面のうち、少なくとも前記機器本体の内面に接近する一方の面に設けられた複数のリブであることを特徴とするスピーカの取付構造。
【請求項３】
請求項１または請求項２に記載のスピーカの取付構造において、前記複数のリブは、前記機器本体の内面に対し当接して押し付けられていることを特徴とするスピーカの取付構造。
【請求項４】
請求項１〜請求項３のいずれかに記載のスピーカの取付構造において、前記複数のスピーカおよび前記補強板は、前記機器本体の長手方向における両側に離れた状態で設けられており、この両側に位置する前記補強板は、複数の補強部材によって連結固定されていることを特徴とするスピーカの取付構造。
【発明の詳細な説明】
【技術分野】
【０００１】
この発明は、電子楽器や音響機器などの電子機器に用いられるスピーカの取付構造に関する。
【背景技術】
【０００２】
例えば、音響機器におけるスピーカの取付構造においては、特許文献１に記載されているように、機器本体を前面側の第１ケースと後面側の第２ケースとで構成し、この第１ケースと第２ケースとの間に補強板を固定し、この補強板に設けられたスピーカ装着部にスピーカを装着し、このスピーカにおけるバッフル面側の縁部を補強板と前面側の第１ケースとの間に挟み付けることにより、スピーカが取り付けられる箇所の機器本体の強度を確保して、音響効果を確保するように構成されたものが知られている。
【先行技術文献】
【特許文献】
【０００３】
【特許文献１】特開平０７−７７８１号公報
【発明の概要】
【発明が解決しようとする課題】
【０００４】
しかしながら、このようなスピーカの取付構造では、機器本体に複数のスピーカを互いに隣接させて取り付ける際に、補強板に複数のスピーカ装着部を隣接させて設けると、補強板の強度が低下し、これに伴ってスピーカが取り付けられる箇所の機器本体の強度も低下してしまう。このため、複数のスピーカを同時に発音させた際に、複数のスピーカの振動によって機器本体が振動してしまい、十分な音響効果が得られないという問題がある。
【０００５】
この発明が解決しようとする課題は、互いに隣接する複数のスピーカが取り付けられる箇所の機器本体の強度を確保して、音響効果を十分に確保することができるスピーカの取付構造を提供することである。
【課題を解決するための手段】
【０００６】
この発明は、機器本体と、この機器本体に互いに隣接して取り付けられた複数のスピーカと、前記機器本体に取り付けられ、且つ前記複数のスピーカが取り付けられる箇所の前記機器本体を補強するための補強板とを備え、前記補強板には、前記複数のスピーカがそれぞれ挿入する複数のスピーカ挿入孔が設けられていると共に、前記補強板には、少なくとも前記複数のスピーカ挿入孔の間に位置する箇所に、前記補強板を補強するための補強部が設けられていることを特徴とするスピーカの取付構造である。
【発明の効果】
【０００７】
この発明によれば、複数のスピーカを互いに隣接させて機器本体に組み付ける際に、補強板に複数のスピーカがそれぞれ挿入する複数のスピーカ挿入孔を設けても、補強板の強度を補強部によって十分に確保することができ、この補強板によって複数のスピーカが取り付けられる箇所の機器本体の強度を十分に確保することができる。このため、互いに隣接する複数のスピーカを機器本体に対して確実に且つ強固に組み付けることができるので、複数のスピーカの発音時に機器本体が振動するのを確実に防ぐことができ、これにより音響効果を十分に確保することができる。
【図面の簡単な説明】
【０００８】
【図１】この発明を電子鍵盤楽器に適用した実施形態１を示した正面図である。
【図２】図１に示された電子鍵盤楽器のＡ−Ａ矢視における拡大断面図である。
【図３】図１に示された電子鍵盤楽器のＢ−Ｂ矢視における拡大断面図である。
【図４】図１に示された電子鍵盤楽器のＣ−Ｃ矢視における拡大断面図である。
【図５】図１に示された電子鍵盤楽器における上部ケースの内面を示した裏面図である。
【図６】図５に示された上部ケースのＤ−Ｄ矢視における拡大断面図である。
【図７】図６に示された上部ケースのスピーカの取付部分におけるＡ部を更に拡大して示した要部の断面図である。
【図８】図６に示された補強板を示した拡大斜視図である。
【図９】図８に示された補強板の変形例を示した拡大斜視図である。
【図１０】この発明を電子鍵盤楽器に適用した実施形態２において、上部ケースの内面を示した裏面図である。
【図１１】図９に示された上部ケースのＥ−Ｅ矢視における断面図である。
【図１２】図１０に示された２つの補強部材を分解して示した側面図である。
【発明を実施するための形態】
【０００９】
（実施形態１）
以下、図１〜図８を参照して、この発明を電子鍵盤楽器に適用した実施形態１について説明する。
この電子鍵盤楽器は、図１および図２に示すように、楽器本体１を備えている。この楽器本体１は、上部ケース２と下部ケース３とで構成されている。この場合、下部ケース３は、前側下部ケースを兼ねる合成樹脂製の鍵盤シャーシ４と合成樹脂製の後側下部ケース５とで構成されている。
【００１０】
この楽器本体１には、図１および図２に示すように、鍵盤部６が組み込まれている。この鍵盤部６は、鍵盤シャーシ４上に複数の鍵７が、並列に配列された状態で上下方向に回転可能に設けられた構成になっている。この場合、複数の鍵７は、複数の白鍵７ａと複数の黒鍵７ｂとを備えている。
【００１１】
楽器本体１の上部ケース２は、合成樹脂からなり、図１および図２に示すように、鍵盤部６の後端部（図１では右端部）上から下部ケース３における後側下部ケース５の後端部（図１では左端部）上に亘って配置されると共に、鍵盤部６の鍵配列方向（図１では左右方向）の両側に位置する鍵盤シャーシ４の両側部上にも配置されるように構成されている。これにより、鍵盤部６は、複数の鍵７が楽器本体１の上方に露出した状態で、楽器本体１内に組み込まれるように構成されている。
【００１２】
また、この上部ケース２の両側には、図１および図５に示すように、それぞれスピーカ部８が設けられている。このスピーカ部８は、それぞれ複数のスピーカ８ａ〜８ｃを備えている。この複数のスピーカ８ａ〜８ｃは、メインスピーカ８ａ、およびツイータなどの２つのサブスピーカ８ｂ、８ｃである。この場合、メインスピーカ８ａは、１つのサブスピーカ８ｂの２倍程度の大きさで形成されており、この１つのサブスピーカ８ｂは、他の１つのサブスピーカ８ｃの２倍程度の大きさで形成されている。
【００１３】
また、上部ケース２における両側のスピーカ部８の間に位置する箇所には、図１に示すように、表示部１０および複数のスイッチ部１１が設けられている。表示部１０は、液晶表示パネルやＥＬ（エレクトロルミネッセンス）表示パネルなどの平面型の表示パネル１０ａを備え、楽音情報などの情報を電気光学的に表示するように構成されている。
【００１４】
この場合、表示部１０の表示パネル１０ａは、図１および図５に示すように、上部ケース２の内面（図５では表面）に設けられた表示基板１０ｂに電気的に接続された状態で、上部ケース２の上面に露出して配置されている。複数のスイッチ部１１は、図１に示すように、電源スイッチ、音量スイッチ、音色選択スイッチなどの楽器に必要な各種のスイッチを備え、図５に示すように、上部ケース２の内面に設けられた複数のスイッチ基板１１ａ〜１１ｃに電気的に接続された状態で、上部ケース２の上面から突出して設けられた構成になっている。
【００１５】
ところで、両側のスピーカ部８における複数のスピーカ８ａ〜８ｃのうち、メインスピーカ８ａと１つのサブスピーカ８ｂとは、図２および図３に示すように、それぞれすり鉢形状のバッフル部９ａと、このバッフル部９ａの下部に設けられた磁石部９ｂとを備え、楽器本体１の上部ケース２にそれぞれスピーカネット９ｄを介して取り付けられている。また、他の１つのサブスピーカ８ｃは、図４に示すように、円筒状のコーン部９ｃを備え、楽器本体１の上部ケース２にスピーカネット９ｄを介して取り付けられている。
【００１６】
この場合、上部ケース２には、図２〜図４に示すように、複数のスピーカ８ａ〜８ｃがそれぞれ上方から挿入する複数のスピーカ取付孔１２ａ〜１２ｃが設けられている。この複数のスピーカ取付孔１２ａ〜１２ｃは、メインスピーカ８ａが取り付けられる大径孔部（図２参照）と、１つのサブスピーカ８ｂが取り付けられる中径孔部（図３参照）と、他の１つのサブスピーカ８ｃが取り付けられる更に小さい小径孔部（図４参照）とに形成されている。
【００１７】
この複数のスピーカ取付孔１２ａ〜１２ｃの各周縁部には、図２〜図４に示すように、それぞれスピーカ８ａ〜８ｃのバッフル部９ａおよびコーン部９ｃにおける上面側の各周縁部がそれぞれ配置される各段差凹部１２ｄが設けられている。これにより、スピーカ８ａ〜８ｃは、図２〜図４に示すように、上部ケース２の上方から上部ケース２のスピーカ取付孔１２ａ〜１２ｃに挿入され、スピーカ８ａ〜８ｃのバッフル部９ａおよびコーン部９ｃにおける上面側の各周縁部が、スピーカ取付孔１２ａ〜１２ｃの周縁部の各段差凹部１２ｄにそれぞれ配置されるように構成されている。
【００１８】
また、このスピーカ８ａ〜８ｃは、図２〜図４、図６に示すように、スピーカ８ａ〜８ｃのバッフル部９ａおよびコーン部９ｃにおける上面側の各周縁部が、スピーカ取付孔１２ａ〜１２ｃの周縁部の各段差凹部１２ｄにそれぞれ配置された状態で、スピーカ８ａ〜８ｃのバッフル部９ａおよびコーン部９ｃにおける上面側の各周縁部が、スピーカ取付孔１２ａ〜１２ｃの各段差凹部１２ｄにそれぞれ各スピーカネット９ｄと共にビス止めにより取り付けられるように構成されている。
【００１９】
この場合、上部ケース２は、合成樹脂によって形成されており、スピーカ取付孔１２ａ〜１２ｃの周縁部の近傍における上部ケース２の内面（図４では下面）には、図２〜図６に示すように、複数の取付ボス１３が設けられている。この複数の取付ボス１３は、図６に示すように、その上下方向の高さが複数のスピーカ８ａ〜８ｃの高さよりも短く形成されている。例えば、複数の取付ボス１３は、複数のスピーカ８ａ〜８ｃのうち、メインスピーカ８ａの高さのほぼ半分程度で、且つ１つのサブスピーカ８ｂの高さよりも少し短く形成されている。
【００２０】
また、この複数の取付ボス１３には、図２〜図７に示すように、補強板１４がビス１５によって取り付けられている。この補強板１４は、スピーカ部８の複数のスピーカ８ａ〜８ｃが取り付けられる箇所における楽器本体１の上部ケース２を補強するためのものであり、図８に示すように、ほぼ平板状に形成されている。
【００２１】
この補強板１４は、木質繊維を原料とする成型板の一種で、木材チップを蒸煮・解繊したものに接着剤となる合成樹脂を加えて、板状に熱圧成型した強度の高い中密度繊維板（ＭＤＦ：medium density
fiberboard）であり、複数のスピーカ８ａ〜８ｃが取り付けられる箇所の上部ケース２を補強するために、図６に示すように、上部ケース２の内面に接近する状態で、上部ケース２に取り付けられている。
【００２２】
また、この補強板１４には、図８に示すように、複数のスピーカ８ａ〜８ｃの一部である磁石部９ｂ側およびコーン部９ｃの下部側に位置する部分がそれぞれ上方から挿入する複数のスピーカ挿入孔１６ａ〜１６ｃが、互いに隣接した状態で設けられている。この場合、複数のスピーカ挿入孔１６ａ〜１６ｃは、図８に示すように、メインスピーカ８ａの一部が挿入する大径孔部と、１つのサブスピーカ８ｂの一部が挿入する中径孔部と、他の１つのサブスピーカ８ｃの一部が挿入する小径孔部とを備え、これらの各孔部が上部ケース２の各スピーカ取付孔１２ａ〜１２ｃに対応する各孔部よりもそれぞれ少し小さく形成されている。
【００２３】
さらに、この補強板１４の周縁部には、図８に示すように、複数の取付孔１７が上部ケース２の各取付ボス１３にそれぞれ対応して設けられている。これにより、補強板１４は、図２〜図７に示すように、複数のスピーカ挿入孔１６ａ〜１６ｃを上部ケース２の複数のスピーカ取付孔１２ａ〜１２ｃにそれぞれ対応させると共に、複数の取付孔１７を上部ケース２の各取付ボス１３にそれぞれ対応させ、この状態で複数の取付孔１７にビス１５を下側から挿入させて各取付ボス１３に螺着することにより、上部ケース２の内面（図６では下面）に接近する状態で、上部ケース２に取り付けられるように構成されている。
【００２４】
また、この補強板１４には、図８に示すように、補強部１８が設けられている。この補強部１８は、補強板１４の上面のほぼ全域にその縦横方向（図８では左右方向および前後方向）に沿って格子状に設けられた複数のリブ１８ａによって形成されている。この複数のリブ１８ａは、図６および図７に示すように、その高さが上部ケース２の内面に設けられた取付ボス１３とほぼ同じ高さで形成され、補強板１４の上面と上部ケース２の内面（図６では下面）との間に配置されるように構成されている。
【００２５】
これにより、補強板１４は、図６および図７に示すように、上部ケース２に複数のスピーカ８ａ〜８ｃが取り付けられた状態で、上部ケース２の内面に設けられた複数の取付ボス１３にビス１５によって取り付けられた際に、補強部１８の複数のリブ１８ａの各上端面がそれぞれ上部ケース２の内面（図６では下面）に対して当接し、この状態で上部ケース２の内面に接近して取り付けられるように構成されている。
【００２６】
次に、このような電子鍵盤楽器に複数のスピーカ８ａ〜８ｃを組み付ける場合について説明する。
この場合には、まず、楽器本体１の上部ケース２に補強板１４を取り付ける。このときには、複数のスピーカ挿入孔１６ａ〜１６ｃを上部ケース２の複数のスピーカ取付孔１２ａ〜１２ｃにそれぞれ対応させると共に、複数の取付孔１７を上部ケース２の各取付ボス１３にそれぞれ対応させ、この状態で複数の取付孔１７にビス１５を下側から挿入させて各取付ボス１３に螺入し、この螺入したビス１５を締め付ける。
【００２７】
これにより、補強板１４は、上部ケース２の複数の取付ボス１３に取り付けられると共に、補強部１８の複数のリブ１８ａの各上端面が上部ケース２の内面に対し当接して押し付けられ、この状態で上部ケース２にその内面に接近する状態で取り付けられる。このため、補強板１４は、複数のスピーカ挿入孔１６ａ〜１６ｃが互いに接近して設けられていても、複数のリブ１８ａからなる補強部１８によって補強されていることにより、十分な強度で補強されており、この補強された補強板１４によって、上部ケース２は、高い剛性をもって、複数のスピーカ８ａ〜８ｃが取り付けられる箇所の強度が補強される。
【００２８】
この状態で、上部ケース２の上方から複数のスピーカ８ａ〜８ｃを各スピーカ取付孔１２ａ〜１２ｃに挿入させると共に、複数のスピーカ８ａ〜８ｃの一部分である磁石部９ｂ側およびコーン部９ｃの下部側の部分を補強板１４の各スピーカ挿入孔１６ａ〜１６ｃにそれぞれ挿入させ、各スピーカ８ａ〜８ｃのバッフル部９ａおよびコーン部９ｃにおける上面側の各周縁部を各スピーカ取付孔１２ａ〜１２ｃの各段差凹部１２ｄにそれぞれ配置する。この状態で、各スピーカ８ａ〜８ｃの上面の各周縁部を各スピーカ取付孔１２ａ〜１２ｃの各段差凹部１２ｄにスピーカネット９ｄと共にそれぞれビス止めする。
【００２９】
この後は、上部ケース２に表示部１０および複数のスイッチ部１１を取り付け、この上部ケース２を下部ケース３上に取り付ける。この場合には、予め、前側下部ケースを兼ねる鍵盤シャーシ４の後部に後側下部ケース５を連結することにより、下部ケース３を構成し、この状態で鍵盤シャーシ４上に複数の鍵７を並列に配列させて上下方向に回転可能に取り付けて、鍵盤部６を構成する。この鍵盤部６が設けられた下部ケース３上に上部ケース２を取り付ける。これにより、電子鍵盤楽器が組み立てられる。
【００３０】
このように、この電子鍵盤楽器におけるスピーカ８ａ〜８ｃの取付構造によれば、機器本体１の上部ケース２と、この上部ケース２に互いに隣接して取り付けられた複数のスピーカ８ａ〜８ｃと、上部ケース２に取り付けられ、且つ複数のスピーカ８ａ〜８ｃが取り付けられる箇所の上部ケース２を補強するための補強板１４とを備え、この補強板１４には、複数のスピーカ８ａ〜８ｃがそれぞれ挿入する複数のスピーカ挿入孔１６ａ〜１６ｃが設けられていると共に、補強板１４には、複数のスピーカ挿入孔１６ａ〜１６ｃの間に位置する箇所に、補強板１４を補強するための補強部１８が設けられているので、互いに隣接する複数のスピーカ８ａ〜８ｃが取り付けられる箇所の上部ケース２の強度を確保することができ、これにより十分な音響効果を確保することができる。
【００３１】
すなわち、このスピーカ８ａ〜８ｃの取付構造では、複数のスピーカ８ａ〜８ｃを互いに隣接させて機器本体１の上部ケース２に組み付ける際に、補強板１４に複数のスピーカ８ａ〜８ｃがそれぞれ挿入する複数のスピーカ挿入孔１６ａ〜１６ｃを設けても、補強板１４の強度を補強部１８によって十分に確保することができ、この補強板１４によって複数のスピーカ８ａ〜８ｃが取り付けられる箇所における機器本体１の上部ケース２の強度を確保することができる。
【００３２】
このため、互いに隣接する複数のスピーカ８ａ〜８ｃを機器本体１の上部ケース２に対して確実に且つ強固に組み付けることができるので、複数のスピーカ８ａ〜８ｃが発音をする際に、その発音に伴う複数のスピーカ８ａ〜８ｃの振動によって、機器本体１の上部ケース２が振動するのを確実に防ぐことができ、これにより音響効果を十分に確保することができる。
【００３３】
この場合、補強部１８は、補強板１４の上下面のうち、少なくとも機器本体１の上部ケース２の内面に接近する上面に、その縦横方向に沿って格子状に設けられた複数のリブ１８ａであることにより、補強板１４に複数のスピーカ８ａ〜８ｃの一部、つまり磁石部９ｂ側およびコーン部９ｃの下部側の各部分が、それぞれ挿入する複数のスピーカ挿入孔１６ａ〜１６ｃが互いに隣接して設けられていても、格子状の複数のリブ１８ａによって補強板１４の強度を十分に高めることができ、これにより補強板１４の反りや捩れなどの変形を確実に防ぎ、複数のスピーカ８ａ〜８ｃの発音時に機器本体１の上部ケース２が振動するのを確実に防ぐことができる。
【００３４】
また、この複数のリブ１８ａは、その高さが上部ケース２の内面に設けられた取付ボス１３の高さとほぼ同じ高さで形成されていることにより、補強板１４が上部ケース２の複数の取付ボス１３にビス１５によって取り付けられた際に、複数のリブ１８ａの各上端面が上部ケース２の内面に対し当接して押し付けられるので、これによっても複数のスピーカ８ａ〜８ｃが取り付けられる箇所の上部ケース２の強度を十分に確保することができ、複数のスピーカ８ａ〜８ｃの発音時に機器本体１の上部ケース２が振動するのを確実に且つ良好に防ぐことができ、より一層、十分な音響効果を高めることができる。
【００３５】
なお、上述した実施形態１では、補強部１８の複数のリブ１８ａが格子状に形成されている場合について述べたが、これに限らず、例えば三角形、五角形、六角形などの多角形や、円形、楕円形などの各種の形状の筒状部を互いに密接させて多数配列させて形成したハニカム形状であっても良い。
【００３６】
また、上述した実施形態１では、補強部１８の複数のリブ１８ａを補強板１４の上面におけるほぼ全域に設けた場合について述べたが、必ずしも上面の全域に設ける必要はなく、例えば図９に示す変形例のように、複数のスピーカ８ａ〜８ｃがそれぞれ挿入する複数のスピーカ挿入孔１６ａ〜１６ｃの間に位置する補強板１４の箇所のみに設けた構成であっても良い。
【００３７】
さらに、上述した実施形態１では、補強部１８の複数のリブ１８ａを補強板１４の上面のみに設けた場合について述べたが、必ずしも上面のみに設ける必要はなく、補強板１４の下面に設けても良く、また補強板１４の上下両面に設けても良い。
【００３８】
（実施形態２）
次に、図１０〜図１２を参照して、この発明を電子鍵盤楽器に適用した実施形態２について説明する。なお、図１〜図８に示された実施形態１と同一部分には同一符号を付して説明する。
この電子鍵盤楽器は、図１０および図１１に示すように、機器本体１の上部ケース２における長手方向（図１０では左右方向）の両側に離れて設けられた２つの補強板１４を複数の補強部材２０、２１によって連結した構成であり、これ以外は実施形態１とほぼ同じ構成になっている。
【００３９】
この複数の補強部材２０、２１は、図１０〜図１２に示すように、断面がそれぞれＬ字形状に形成された細長いアングル材であり、その各中間部で互いに重なり合って交差する状態で、各一端部２０ａ、２１ａ（図１０では左端部）が一方（図１０では左側）の補強板１４の下面にねじ部材２２によって取り付けられ、各他端部２０ｂ、２１ｂ（図１０９では右端部）が他方（図１０では右側）の補強板１４の下面にねじ部材２２によって取り付けられた構成になっている。
【００４０】
この場合、複数の補強部材２０、２１は、それぞれ平面部と立上り部とを有する断面Ｌ字形状に形成されているため、図１２に示すように、一方の補強部材２０の両端部２０ａ、２０ｂがその補強部材２０の平面部と同じ平面で延長され、他方の補強部材２１の両端部２１ａ、２１ｂがその補強部材２１の平面部よりも下側に屈曲された上、水平方向に延長された構成になっている。
【００４１】
すなわち、この他方の補強部材２１は、図１０および図１１に示すように、その中間部が一方の補強部材２０と互いに重なり合って交差するため、この一方の補強部材２０の下側を通過するように、他方の補強部材２１の両端部２１ａ、２１ｂが図１２に示すように補強部材２１の平面部から下側に向けて補強部材２０の高さだけ垂直に折り曲げられ、この折り曲げられた下部が水平方向に延長された構成になっている。
【００４２】
また、２本の補強部材２０、２１は、図１０および図１１に示すように、その中間部において互いに重なり合って交差する部分が、ねじ部材２３によって連結固定されている。このねじ部材２３は、ボルト２３ａとナット２３ｂとであり、２本の補強部材２０、２１が交差する部分を締め付けて固定するように構成されている。
【００４３】
この場合、２本の補強部材２０、２１が重なり合って交差する部分は、一方の補強部材２０の下側に他方の補強部材２１が配置され、この状態でねじ部材２３のボルト２３ａを交差した部分の下側に位置する補強部材２１から上側に位置する補強部材２０の上方に突出させ、この突出したボルト２３ａの上端部にナット２３ｂを螺入させて締め付けることにより、固定されるように構成されている。
【００４４】
これにより、上部ケース２は、図１０および図１１に示すように、その長手方向における両側に離れて設けられた２つの補強板１４が２本の補強部材２０、２１によって連結固定されていることにより、上部ケース２の全体が補強され、これにより上部ケース２全体の反りや捩れなどの変形が阻止されるように構成されている。
【００４５】
このような電子鍵盤楽器におけるスピーカ８ａ〜８ｃの取付構造によれば、複数のスピーカ８ａ〜８ｃおよび補強板１４が機器本体１の上部ケース２における長手方向の両側に離れた状態で設けられ、この両側に位置する補強板１４が複数の補強部材２０、２１によって連結固定されていることにより、上部ケース２の全体を補強することができ、これにより上部ケース２全体の反りや捩れなどの変形を阻止することができるので、複数のスピーカ８ａ〜８ｃの発音時に上部ケース２の全体が振動するのを確実に防ぐことができ、これによっても音響効果を高めることができる。
【００４６】
この場合、複数の補強部材２０、２１は、その各中間部で互いに重なり合って交差する状態で、各一端部２０ａ、２１ａが一方の補強板１４の下面にねじ部材２２によって取り付けられ、各他端部２０ｂ、２１ｂが他方の補強板１４の下面にねじ部材２２によって取り付けられ、且つ重なり合って交差した部分をねじ部材２３によって固定していることにより、上部ケース２の両側に位置する補強板１４同士を、より一層、確実に且つ強固に連結して固定することができ、これにより上部ケース２全体を更に強固に補強することができる。
【００４７】
なお、上述した実施形態２では、２本の補強部材２０、２１の中間部分を単純に重ね合わせて交差するように構成した場合について述べたが、これに限らず、例えば上側に位置する一方の補強部材２０の中間部における立上り部分を切欠き、この切欠いた部分に下側に位置する他方の補強部材２１を挿入させて両方の平面部同士を重ね合わせて交差させるように構成しても良い。
【００４８】
このように構成すれば、２本の補強部材２０、２１の両端部２０ａ、２０ｂ、２１ａ、２１ｂをそれぞれ平面部と同じ平面で延長させるだけで良いので、２本の補強部材２０、２１における全体の高さ（厚み）を低く（薄く）することができ、コンパクトに補強板１４同士を２本の補強部材２０、２１によって連結固定することができる。
【００４９】
また、上述した実施形態２では、上部ケース２の両側に位置する補強板１４を２本の補強部材２０、２１で連結固定した場合について述べたが、これに限らず、３本以上の補強部材によって、上部ケース２の両側に位置する補強板１４を連結固定するように構成しても良く、また帯板状の１枚の補強部材によって、上部ケース２の両側に位置する補強板１４を連結固定するように構成しても良い。
【００５０】
さらに、上述した実施形態１、２およびその各変形例では、１つの補強板１４に対応する１つのスピーカ部８が３つのスピーカ８ａ〜８ｃを備えた構成である場合について述べたが、必ずしも３つのスピーカ８ａ〜８ｃを備えた構成である必要はなく、１つのスピーカ部が２つのスピーカを備えた構成であっても良く、また４つ以上のスピーカを備えた構成であっても良い。
【００５１】
なおまた、上述した実施形態１、２およびその各変形例では、電子鍵盤楽器に適用した場合について述べたが、これに限らず、電子ギターなどの電子式弦楽器などにも適用することができるほか、必ずしも電子楽器である必要なく、音響機器であるステレオや、テレビ、ラジオなどの複数のスピーカ８ａ〜８ｃを有する電子機器に広く適用することができる。
【００５２】
以上、この発明のいくつかの実施形態について説明したが、この発明は、これらに限られるものではなく、特許請求の範囲に記載された発明とその均等の範囲を含むものである。
以下に、本願の特許請求の範囲に記載された発明を付記する。
【００５３】
（付記）
請求項１に記載の発明は、機器本体と、この機器本体に互いに隣接して取り付けられた複数のスピーカと、前記機器本体に取り付けられ、且つ前記複数のスピーカが取り付けられる箇所の前記機器本体を補強するための補強板とを備え、
前記補強板には、前記複数のスピーカがそれぞれ挿入する複数のスピーカ挿入孔が設けられていると共に、前記補強板には、少なくとも前記複数のスピーカ挿入孔の間に位置する箇所に、前記補強板を補強するための補強部が設けられていることを特徴とするスピーカの取付構造である。
【００５４】
請求項２に記載の発明は、請求項１に記載のスピーカの取付構造において、前記補強部は、前記補強板の表裏面のうち、少なくとも前記機器本体の内面に接近する一方の面に設けられた複数のリブであることを特徴とするスピーカの取付構造である。
【００５５】
請求項３に記載の発明は、請求項１または請求項２に記載のスピーカの取付構造において、前記複数のリブは、前記機器本体の内面に対し当接して押し付けられていることを特徴とするスピーカの取付構造である。
【００５６】
請求項４に記載の発明は、請求項１〜請求項３のいずれかに記載のスピーカの取付構造において、前記複数のスピーカおよび前記補強板は、前記機器本体の長手方向における両側に離れた状態で設けられており、この両側に位置する前記補強板は、複数の補強部材によって連結固定されていることを特徴とするスピーカの取付構造である。
【符号の説明】
【００５７】
１  機器本体
２  上部ケース
３  下部ケース
８  スピーカ部
８ａ〜８ｂ  スピーカ
９ａ  バッフル部
９ｂ  磁石部
９ｃ  コーン部
９ｄ  スピーカネット
１２ａ〜１２ｃ  スピーカ取付孔
１３  取付ボス
１４  補強板
１５  ビス
１６ａ〜１６ｃ  スピーカ挿入孔
１７  取付孔
１８  補強部
１８ａ  リブ
２０、２１  補強部材
２２、２３  ねじ部材
【図１】
2012217080.tif 000003
【図２】
2012217080.tif 000004
【図３】
2012217080.tif 000005
【図４】
2012217080.tif 000006
【図５】
2012217080.tif 000007
【図６】
2012217080.tif 000008
【図７】
2012217080.tif 000009
【図８】
2012217080.tif 000010
【図９】
2012217080.tif 000011
【図１０】
2012217080.tif 000012
【図１１】
2012217080.tif 000013
【図１２】
2012217080.tif 000014